(57)【要約】【課題】鉢植え植物の植え替えに容易な植木鉢とその付属品を提供する。【解決手段】その上下を開放し、上方に向けて大径となる筒状体を形成し、該筒状体内部下方に環状の段部を形成することにより下穴を有することを特徴とする植木鉢と、円板による台板を設けるとともに、台板に通水孔を設けたことを特徴とする植木鉢付属品とを組み合わせて使用することを特徴とする。【選択図】      図１
2006158370.tif 000002
【特許請求の範囲】
【請求項１】
その上下を開放し、上方に向けて大径となる筒状体を形成し、該筒状体内部下方に環状の段部を形成することにより下穴を有することを特徴とする植木鉢。
【請求項２】
円板による台板を設けるとともに、台板に通水孔を設けたことを特徴とする植木鉢付属品。
【請求項３】
円板による基板を設け、基板に通水孔を設け、基板外周近傍に、複数枚の支板を立設したことを特徴とする植木鉢付属品。
【請求項４】
円柱上面に小径の上板を下面に大径の下板を固着したことを特徴とする植木鉢付属品。
【発明の詳細な説明】
【技術分野】
【０００１】  この発明は、植木鉢植物の植え替えに便利なる植木鉢とその付属品に関する。
【背景技術】
【０００２】  従来より、植木鉢が多用されているが、単に草木を植えるための単一物品であり、本発明にて示すように植え替えにも配慮した植木鉢は現在のところ見当たらない。
【発明の開示】
【発明が解決しようとする課題】
【０００３】  植木鉢は鉢に土その他の吸水性物質を植物とともに入れて観賞するためのものであるが、植物の成長その他の理由にて鉢のサイズが不適となり、別の鉢にその植物を移すいわゆる植え替えの必要が生ずる。この植え替え時の方法は、一般的には鉢を逆さまにしたり植物をつかんで引っ張ったりして土ごと植物を鉢から取り出すのであるが、長期間の使用後は土と根が鉢に付着しており、その作業は簡単ではない。
そのためときには鉢の土を少量ずつ取り出したりする補助作業を行うが、根に悪影響を及ぼし、またこの植え替え作業時に土が周囲に散乱することも多く、スムースに植え替えを行う有効な手段が見当たらないのが現状である。
本発明は、以上のような従来からの鉢植え替えに関わる課題を解決するために発明されたもので、専用の鉢を設けるとともにこの鉢の付属品を使用することにより、容易かつ能率的に植え替えのできる新規かつ有用なる植木鉢とその付属品を提供することを目的としたものである。
【課題を解決するための手段】
【０００４】  課題を解決する手段として本発明は、段部と下穴を有する鉢本体と、付属品としての台板もしくは土保持体を設けてその主要部を構成した。
すなわち、本発明の一つは、その上下を開放し、上方に向けて大径となる筒状体を形成し、該筒状体内部下方に環状の段部を形成することにより下穴を有することを特徴とする植木鉢である。また本発明の第二は円板による台板を設けるとともに、台板に通水孔を設けたことを特徴とする植木鉢付属品であり、第三は円板による基板を設け、基板に通水孔を設け、基板外周近傍に、複数枚の支板を立設したことを特徴とする植木鉢付属品である。
第四は円柱上面に小径の上板を下面に大径の下板を固着したことを特徴とする植木鉢付属品である。
【発明の効果】
【０００５】  本発明によれば、下穴を有する鉢本体の段部上に台板もしくは土保持体を位置させ、この台板上もしくは土保持体内に土と植物を位置させて用いるため、植え替えのときには台板下面もしくは土保持体の基板下面を上方に押圧することにより、土および植物を容易に鉢から抜き出すことができ、土を少量ずつ取り出したり鉢を逆さにする必要が無く、能率的であるとともに衛生的な使用を可能とする便利な物品を提供することができる。
なお、実施形態にて示した補助台を併用することで、さらに容易な作業とすることができる。
【発明を実施するための最良の形態】
【０００６】  以下、本発明の実施形態について説明する。
図において、１は合成樹脂成形による平面視円形の筒状体よりなる鉢本体で、上下に開口部を有し、上方に向けて大径となる傾斜側面を有している。また、その内部下方には環状の段部２を有し、下穴３が形成される。４は適宜厚の円板よりなる台板で、その外径は前記段部外周の径よりわずかに小さく、台板中央近傍には複数個の貫通小穴よりなる通水孔５が設けられる。
以上が本発明の一実施形態で、使用時は図１に示すように、鉢本体の段部上に台板を載せ、その上に土と植物を入れておく。植え替え時は鉢の下方より上方に向けて台板を手で押すことにより、土と植物を鉢から抜き出すことができ、他の鉢に移し替えることができる。鉢の状態、形状、サイズによっては手による押圧では作業が困難なことがある。
このときは補助台を用いる。この補助台６は、円板による上板７と上板よりやや大径の円板による下板８とを円柱の上端と下端にそれぞれ固着して形成され、使用時は図９にて示すように、平面上に補助台を置き、この補助台の上板上面を、鉢本体の段部上に位置する台板下面にあて、鉢本体を下方に押すと、その押圧により土と植物は鉢中を上方に移動し、抜き取ることができる。【０００７】  図４〜図５は本発明の他の実施形態を示すものである。
１０は土保持体で、その中央近傍に複数個の通水孔を有する円板による基板１１を設け、基板の外周近傍上面に側面視Ｌ形の薄鋼板製の弾力板１２を１２等配にて固着し、この弾力板上部に断面円弧形の細長板よりなる支板１３を外側を凸としてその下部を固着したものである。基板外径は前記台板と同一であり、基板下面から支板上端までの距離は、鉢本体の段部上面から鉢本体上縁までの距離よりやや小さく形成される。
支板は基板に対し、やや傾斜して設けられるが、その傾斜角は鉢本体内面の傾斜角と近似であり、また、支板断面の曲率は鉢本体内面の曲率と近似である。この土保持体は図６にて示すように、段部上に基板が位置し、鉢本体の内面に沿って支板が位置する。
この支板にて土を囲むように土と植物が位置している。この状態において、植え替えをするには、基板下面を手で押すかあるいは補助台を用いる既述の方法にて行われる。
本例は土と鉢内面との間に複数枚の支板が位置し、土と鉢本体内面との摩擦が小さくなり、台板を用いる既述の例よりさらに容易に植え替えをすることができる。【０００８】  以上本発明について説明したが、本発明は鉢の下方から上方に向けて土を押圧できるところにその特徴がある。従来の鉢は通水孔を有する有底形状であるため、土を下方から押すことができず、鉢から土と植物を抜き出すのが困難であった。しかし本発明は既述のように土への押圧が可能であるため、従来法に比べて容易に植え替えができるのである。
なお、実施形態で示す形状と構造は本発明の一例であり、近似の他の形状・構造を用いることができる。実施形態では土保持体は基板上に弾力板を固着し、この弾力板に支板を固着して構成したが、この支板と弾力板を一体形成してもよい。
以上のごとく、本発明によって植え替えの容易性と作業能率の向上および衛生面において優れた物品を得ることができる。
【図面の簡単な説明】
【０００９】
【図１】本発明の鉢本体の構造説明図（縦断面視）
【図２】本発明の台板の正面図
【図３】本発明の台板の平面図
【図４】本発明の土保持体の正面図
【図５】本発明の土保持体の平面図
【図６】本発明の土保持体の使用説明図（一部略）
【図７】本発明の補助台の平面図
【図８】本発明の補助台の正面図
【図９】本発明の補助台の使用説明図
【符号の説明】
【００１０】  １  鉢本体
２  段部
３  下穴
４  台板
５  通水孔
６  補助台
７  上板
８  下板
１０土保持体
１１基板
１２弾力板
１３支板
【図１】
2006158370.tif 000003
【図２】
2006158370.tif 000004
【図３】
2006158370.tif 000005
【図４】
2006158370.tif 000006
【図５】
2006158370.tif 000007
【図６】
2006158370.tif 000008
【図７】
2006158370.tif 000009
【図８】
2006158370.tif 000010
【図９】
2006158370.tif 000011